(57)【要約】【課題】  成績処理を簡単に、また効率よく行うことができる学習プリント、さらには個別の学習指導を的確に行うことができる学習プリントを提供すること。【解決手段】  学習プリント１０の問題印刷部１３に記載される問題に対して児童・生徒（学習者）が取りうる成績（点数）に対応して３つのバーコード１７，１８，１９を設ける。そして、これらのバーコード１７，１８，１９に、問題欄１３に記載された問題を解くべき児童・生徒を特定する児童・生徒特定情報、および問題印刷部１３に印刷された問題を特定する問題特定情報、問題印刷部１３に印刷された問題に対する成績情報を識別可能な情報を含ませる。【選択図】            図１
2005193475.tif 000002
【特許請求の範囲】
【請求項１】
学習問題が印刷された学習プリントにおいて、
少なくとも前記学習問題に対する成績を特定する成績情報を識別可能な識別タグを、前記学習問題で取りうる成績別に一揃い配置してなることを特徴とする学習プリント。
【請求項２】
学習問題が印刷された学習プリントにおいて、
学習者の氏名を印刷してなるとともに、
少なくとも、学習者を特定する学習者情報、前記学習問題を特定する問題情報、および前記学習問題に対する成績を特定する成績情報を識別可能な識別タグを、前記学習問題で取りうる成績別に一揃い配置してなることを特徴とする学習プリント。
【請求項３】
請求項２に記載する学習プリントにおいて、
前記学習問題は、学習者に応じて選択された個別問題であることを特徴とする学習プリント。
【請求項４】
請求項１から請求項３のいずれか１つに記載する学習プリントにおいて、
前記識別タグは、それぞれ学習問題で取りうる成績と対応した位置に配置されてなることを特徴とする学習プリント。
【請求項５】
請求項１から請求項４のいずれか１つに記載する学習プリントにおいて、
複数の前記識別タグは、いずれもバーコードであることを特徴する学習プリント。
【発明の詳細な説明】
【技術分野】
【０００１】
本発明は、学校、予備校、塾などの教育機関において使用する学習プリントに関する。より詳細には、成績処理などに必要となるデータの入力を簡単に行うことができる学習プリントに関するものである。
【背景技術】
【０００２】
従来より、小、中学校等の教育機関においては、各児童・生徒（学習者）の理解度を知るべく適時テストを行っている。一方、各児童・生徒に復習させ理解を深めさせるために、ゴールデンウィークや夏休み、冬休み等の前に、あるいは、適時に、各児童・生徒に対して学習問題を記載したプリントを渡し、これを宿題とするなどしている。
【０００３】
そして、教師は、これらのテストやプリントの成績などに基づいて、各児童・生徒の理解度を把握し、理解が不十分な児童・生徒に対しては個別に学習指導を行っている。また、これらのテストやプリントの成績などは、学期末などに各学習者の評定を行う際にも利用されている。
【発明の開示】
【発明が解決しようとする課題】
【０００４】
しかしながら、従来の学習プリント（テストとして使用するものも含む）には、採点後の成績処理を容易に、また効率よく行うための工夫、あるいは個別指導を的確に行うための工夫が何らされていなかった。このため、成績処理は、各教師ごとに行われるのが現状であり、それらの作業が教師にとってかなりの負担になっていた。
【０００５】
そこで、本発明は上記した問題点を解決するためになされたものであり、成績処理を容易に、また効率よく行うことができる学習プリント、さらには個別の学習指導を的確に行うことができる学習プリントを提供することを課題とする。
【課題を解決するための手段】
【０００６】
上記課題を解決するためになされた本発明に係る学習プリントは、学習問題が印刷された学習プリントにおいて、少なくとも前記学習問題に対する成績を特定する成績情報を識別可能な識別タグを、前記学習問題で取りうる成績別に一揃い配置してなることを特徴とするものである。
【０００７】
この学習プリントでは、学習問題に対して学習者が取りうる各々の成績に対応した識別タグがそれぞれ設けられている。そこで、採点後にその成績に対応する識別タグをリーダーで読み取るだけで成績をコンピュータに読み込ませることができる。これにより、成績のデータベースを簡単に作成することができるため、成績処理や成績管理を効率よく行うことができる。したがって、成績処理や成績管理にかかる労力の軽減を図ることができる。
また、リーダーを介して識別タグを読み取るだけで成績が入力できるため、採点された学習プリントを用いて学習者自身が自己の成績をコンピュータに読み込ませることもできる。
【０００８】
また、上記課題を解決するためになされた本発明に係る別形態の学習プリントは、学習問題が印刷された学習プリントにおいて、学習者の氏名を印刷してなるとともに、少なくとも、学習者を特定する学習者情報、前記学習問題を特定する問題情報、および前記学習問題に対する成績を特定する成績情報を識別可能な識別タグを、前記学習問題で取りうる成績別に一揃い配置してなることを特徴とするものである。
【０００９】
この学習プリントは、学習者の氏名が印刷されているのでプリントが配布されるべき学習者が特定される。そして、識別タグに、少なくとも、学習者を特定する学習者情報と、学習問題を特定する問題情報と、学習問題に対する成績を特定する成績情報とを含ませている。このため、識別タグをリーダーを介してコンピュータに読み込ませると、学習者情報、問題情報、および成績情報が読み込まれる。したがって、１つの識別タグをコンピュータに読み込ませるだけで、どのような学習者が、どのような学習問題（例えば、学習単元などの情報）において、どのような成績を取ったのかという情報がコンピュータに読み込まれる。これにより、成績処理や成績管理を行うために必要なデータを非常に簡単に、しかも入力ミスを犯すことなくコンピュータに入力することができる。このため、学習者にも操作させやすい。
【００１０】
また、本発明に係る学習プリントにおいては、前記学習問題は、学習者に応じて選択された個別問題であることが望ましい。
【００１１】
この学習プリントは、渡されるべき学習者の氏名が印刷されているので、どの学習者に対するプリントであるかのかが明確である。そこで、学習問題を個別問題にしてある。そして、学習問題を個別問題にすることにより、学習者レベルや苦手分野などに応じた学習をさせることができるので、個別の学習指導をより的確に行うことができる。
【００１２】
また、本発明に係る学習プリントにおいては、前記識別タグは、それぞれ学習問題で取りうる成績と対応した位置に配置されてなることが望ましい。
【００１３】
このように識別タグを配置することにより、採点の後に読み取るべき識別タグが分かりやすくなる。このため、識別タグの読み違いを防止することができる。したがって、学習者に識別タグの読み取り操作を行わせても、識別タグの読み違いが発生しにくい。
【００１４】
そして、本発明に係る学習プリントにおいては、複数の前記識別タグは、すべてバーコードであることが望ましい。なお、バーコードには、２次元バーコードも含まれる。
【００１５】
現在、識別タグとして、広く普及しており、最も扱いやすく、学習プリントに簡単に印刷することができ、コスト面でも最も有利であるからである。
【発明の効果】
【００１６】
本発明に係る学習プリントによれば、少なくとも前記学習問題に対する成績を特定する成績情報を識別可能な識別タグを、前記学習問題で取りうる成績別に複数配置したので、識別タグの情報をリーダーを介してコンピュータに簡単に読み込ませることができる。したがって、成績処理や成績管理を容易に、また効率よく行うことができる。
【００１７】
また、本発明に係る別形態に係る学習プリントによれば、学習者の氏名が印刷され、少なくとも、学習者を特定する学習者情報、前記学習問題を特定する問題情報、および前記学習問題に対する成績を特定する成績情報とを識別可能な識別タグを、前記学習問題で取りうる成績別に複数配置されている。このため、１つの識別タグの情報をリーダーを介してコンピュータに読み込ませることで、学習者情報、問題情報、および成績情報を読み込ませることができる。これにより、データ入力が非常に容易になり、成績処理や成績管理をより一層効率よく行うことができる。
【発明を実施するための最良の形態】
【００１８】
以下、本発明の学習プリントを具体化した最も好適な実施の形態について、図面に基づき詳細に説明する。本実施の形態は、小学校五年生の児童・生徒を学習者に設定した場合の学習プリントである。そこで、本実施の形態に係る学習プリントを図１に示す。
【００１９】
本実施の形態に係る学習プリント１０は、授業中に使用されるものであって、図１に示すように、児童・生徒特定情報印刷部１１と、問題印刷部１３と、成績情報印刷部１４とを備える１枚のプリントである。児童・生徒特定情報印刷部１１は、どの児童・生徒（学習者）に対する学習プリントであるかを特定するために学習者の氏名を印刷するための部分である。本実施の形態では、この児童・生徒特定情報印刷部１１に、クラス名（何組であるか）、出席番号、および氏名を印刷して児童・生徒を特定するようになっている。この児童・生徒特定情報印刷部１１の記載により、担任の教師（指導者）から、各児童・生徒に対してそれぞれの学習プリントが配布されることになる。また、この児童・生徒特定情報印刷部１１には、いつ配布したプリントであるからを示すために配布日も印刷されている。
【００２０】
問題印刷部１３は、児童・生徒に解かせるための学習問題を印刷するための部分である。この問題印刷部１３に印刷する学習問題は、全児童・生徒（クラスごと）共通の学習問題であってもよいが、各児童・生徒ごとに対する個別の学習問題とするとさらに好ましい。このように、問題印刷部１３に個別の学習問題を印刷することができるのは、学習プリント１０に児童・生徒特定情報印刷部１１を設けているので、その学習プリント１０を配布される児童・生徒が特定されるからである。
【００２１】
なお、本実施の形態では、個別の学習問題（小数のかけ算）が印刷されている。すなわち、「江戸太郎」君に対する個別問題が選択されて印刷されている。そして、本実施の形態のように、個別の学習問題を問題印刷部１３に記載する場合には、その児童・生徒にとって最適な学習問題（レベル）を印刷するようにするとよい。これにより、各児童・生徒は、難しすぎる、あるいは簡単すぎると感じるような学習問題を行うことがなくなるため、学習意欲を減退させるようなことがない。
【００２２】
また、後述するように、成績処理や成績管理に関しても、問題欄１３に記載されている問題情報も成績情報とともにコンピュータに読み込まれるようになっているので、問題欄１３に、個別の学習問題を記載しても何ら問題が生じることはない。
【００２３】
なお、各児童・生徒ごとに対する個別の学習問題を作成する場合には、例えば、本出願人が特願２００３−２９５２６０で提案した「個別学習プリント作成システム」を利用すればよい。なお、特願２００３−２９５２６０で提案した「個別学習プリント作成システム」の内容は、本発明とは関係が薄いので、ここではその内容の説明は省略する。
【００２４】
そして、成績情報印刷部１４は、学習プリント１０に印刷された学習問題の成績を表示するとともに、その成績内容を処理するため情報を印刷した部分である。この成績情報印刷部１４には、学習プリント１０が配布された翌日などに、担任の教師により問題印刷部１３に印刷された問題の採点が行われた結果、その結果に対する評価（成績）、およびその成績に対応するバーコードが記載されている。
【００２５】
本実施の形態では、成績情報印刷部１４に、問題印刷部１３に９問の問題が印刷されているので、それに対して取りうる点数「０〜９点」を表示する点数表示欄１５と、各点数に応じた評価結果を示す評価結果表示欄１６と、各評価（成績）を識別するためのバーコード１７，１８，１９が成績別に印刷されている。そして、バーコード１７は、成績処理などを行うコンピュータ等に対して、「０〜３点」に対する評価（がんばりましょう）を識別させるものである。バーコード１８は、成績処理などを行うコンピュータ等に対して、「４〜６点」に対する評価（よくできました）を識別させるものである。バーコード１９は、成績処理などを行うコンピュータ等に対して、「７〜９点」に対する評価（たいへんよくできました）を識別させるものである。
【００２６】
これらのバーコード１７，１８，１９には、上記の評価結果（成績）情報の他に、児童・生徒特定情報および問題特定情報も含まれている。これにより、教師は学習プリント１０の採点後、その結果に対応するバーコードをバーコードリーダによりコンピュータに読み込ませるだけで、児童・生徒特定情報、問題特定情報、および評価結果（成績）情報を一度に入力することができる。つまり、１つのバーコードをコンピュータに読み込ませるだけで、どのような学習者が、どのような学習問題（例えば、学習単元などの情報）において、どのような成績を取ったのかという情報がコンピュータに読み込まれる。これにより、入力作業がさらに容易になるとともに入力ミスがなくなる。したがって、成績処理に必要なデータをコンピュータに簡単に入力することができるので、成績管理を簡単に行うことができる。
【００２７】
なお、バーコード１７，１８，１９には、上記の評価結果（成績）情報の他に、児童・生徒特定情報および問題特定情報も含まれているが、図２に示すように、評価結果（成績）の情報、児童・生徒特定情報、および問題特定情報のそれぞれを識別させるためのバーコードを別々に設けることもできる。すなわち、図２に示すプリント２０では、評価結果（成績）の情報のみを識別可能なバーコード１７ａ，１８ａ，１９ａと、児童・生徒特定情報のみを識別可能なバーコード２１と、問題特定情報のみを識別可能なバーコード２２とが設けられている。
【００２８】
しかしながら、図２に示すような学習プリント２０では、評価結果（成績）の情報、児童・生徒特定情報、および問題特定情報をコンピュータに読み込むために、バーコードを３回読み込ませる必要があるので、効率が悪く、また入力ミスが発生するおそれもある。したがって、学習プリント１０のように、評価結果（成績）の情報、児童・生徒特定情報、および問題特定情報を含んだバーコード１７，１８，１９を成績別に設けることがより好ましい。
【００２９】
各児童・生徒によって、問題欄１３に記載された問題が解かれた状態の学習プリント１０は、各児童・生徒から担任の教師に提出される。そうすると、教師が、各児童・生徒から提出された学習プリント１０を採点する。このとき、採点された学習プリント１０には、採点結果に基づいて教師により、点数表示欄１５および評価結果表示欄１６に表示されている点数および評価に丸が付けられる。そして、教師は、丸を付けた箇所に設けられたバーコードをバーコードリーダを介してコンピュータに読み込ませる。
例えば、学習プリント１０において、点数が「７点」であった場合には、点数表示欄１５の「７」の箇所、および評価結果表示欄１６の「たいへんよくできました」の箇所にそれぞれ丸が付けられる。そこで、バーコード１９の情報が読み込むことになる。
【００３０】
その後、学習プリント１０は、教師から直接、各児童・生徒に返却される。これにより、各児童・生徒は、点数表示欄１５および評価結果表示欄１６に付けられた丸印で自分の成績を知ることができる。
【００３１】
以上、詳細に説明したように本実施の形態に係る学習プリント１０には、評価結果（成績）情報の他に、児童・生徒特定情報および問題特定情報が含まれたバーコード１７，１８，１９が成績別に設けられている。このため、教師は学習プリント１０の採点後に、その成績に対応するバーコードをバーコードリーダを介してコンピュータに読み込ませることにより、評価結果（成績）情報、児童・生徒特定情報、および問題特定情報を一度に入力することができる。すなわち、１つのバーコードをコンピュータに読み込ませるだけで、どのような学習者が、どのような学習問題（例えば、学習単元などの情報）において、どのような成績を取ったのかという成績処理や成績管理に必要なデータをコンピュータに入力することができる。よって、データの入力作業、および入力作業中における入力ミスがなくなるので、成績処理や成績管理を非常に簡単に、また効率よく行うことができる。
【００３２】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、学習プリントとして、授業中に使用するプリントを示したが、宿題用のプリントやテストとして使用するプリントなどにも本発明を適用することもできる。また、学習問題のみが記載された問題用紙と解答用紙とが分離されている場合には、識別タグであるバーコードを解答用紙に設ければよい。
【００３３】
また、上記した実施の形態では、学習プリント１０にバーコードを３つ設けているが、学習プリント１０に設けるバーコードは３つに限られることはなく、２つあるいは４つ以上であってもよい。
【００３４】
また、上記した実施の形態では、学習問題として算数の問題を例示しているが、学習問題としては、算数の他に、国語、理科、社会などの問題を記載してもよい。さらに、上記した実施の形態では、小学校五年生に対する学習プリントを例示したが、それ以外の学年（中学生や高校生なども含む）の児童・生徒に対しても、もちろん本発明を適用することができる。
【００３５】
また、上記した実施の形態では、評価結果情報（児童・生徒特定情報あるいは問題特定情報も含む場合もある）をコンピュータに識別させるための識別タグとして、バーコードを例示しているが、バーコードの他、ＩＣタグなどであってもよい。
【００３６】
また、上記した実施の形態では、採点した学習プリントについて、成績の入力も教師が行う場合を例示したが、成績の入力が容易であるから、採点の後、成績の別にしたがって児童・生徒が自らバーコードリーダを用いて各自の成績に対応するバーコードを読み込ませるようにしてもよい。
【図面の簡単な説明】
【００３７】
【図１】本実施の形態に係る学習プリントを示す図である。
【図２】学習プリントの変形例を示す図である。
【符号の説明】
【００３８】
１０，２０  学習プリント
１１  児童・生徒特定情報印刷部
１３  問題印刷部
１４  成績処理情報印刷部
１５  点数表示欄
１６  評価結果表示欄
１７，１８，１９，１７ａ，１８ａ，１９ａ，２１，２２  バーコード
【図１】
2005193475.tif 000003
【図２】
2005193475.tif 000004